【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
クレイ、インターポリマー、及び１以上の剥離剤を含むナノ複合物であって、
当該１以上の剥離剤が、Ｒ２Ｒ３Ｒ４Ｎの構造を有するアミンを含み、ここで、Ｒ２、Ｒ３、及びＲ４はＣ１乃至Ｃ２０のアルキル又はアルケンであって、同一でも異なってもよい、
当該ナノ複合物。
【請求項２】
前記インターポリマーが、Ｃ４乃至Ｃ７イソモノオレフィン由来のユニット、パラメチルスチレン由来のユニット、及びパラ−（ハロメチルスチレン）由来のユニットのコポリマーである、請求項１に記載のナノ複合物。
【請求項３】
前記パラ−（ハロメチルスチレン）由来のユニットが、インターポリマー中に０．４乃至１．５モル％で存在する、請求項１に記載のナノ複合物。
【請求項４】
少なくともＲ２がＣ１４乃至Ｃ２０のアルキル又はアルケンである、請求項１に記載のナノ複合物。
【請求項５】
前記剥離剤が、Ｎ，Ｎ−ジメチル−オクタデシルアミン、Ｎ，Ｎ−ジオクタデシル−メチルアミン、二水素化牛脂アルキル−メチルアミン、アミン末端ポリテトラヒドロフラン、及びそれらの混合物よりなる群から選択される、請求項４に記載のナノ複合物。
【請求項６】
前記剥離剤が、Ｚ−−Ｒ７−−Ｚ’の化学式で表わされる構造物から選択され、
ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項１に記載のナノ複合物。
【請求項７】
前記剥離剤がチオ硫酸化合物である、請求項６に記載のナノ複合物。
【請求項８】
カーボンブラックをさらに含む、請求項１に記載のナノ複合物。
【請求項９】
１以上の多官能性硬化剤をさらに含む、請求項１に記載のナノ複合物。
【請求項１０】
前記剥離剤が、ナノ複合物中に０．１乃至２０ｐｈｒで存在する、請求項１に記載のナノ複合物。
【請求項１１】
アルキルアミン剥離クレイが、メチル硫酸ジメチル牛脂アルキルオクチルアンモニアで剥離されたクレイである、請求項１に記載のナノ複合物。
【請求項１２】
前記アルキルアミン剥離クレイが、ナノ複合物中に０．２乃至１５ｐｈｒで存在する、請求項１に記載のナノ複合物。
【請求項１３】
前記アルキルアミン剥離クレイが、塩化ジメチル二水素化牛脂アルキルアンモニアで剥離されたクレイである、請求項１に記載のナノ複合物。
【請求項１４】
硬化剤をさらに含む、請求項１に記載のナノ複合物。
【請求項１５】
前記硬化剤が、亜鉛、ステアリン酸亜鉛、ステアリン酸、硫黄、及びそれらの混合物を含む、請求項１４に記載のナノ複合物。
【請求項１６】
前記クレイが前処理される、請求項１に記載のナノ複合物。
【請求項１７】
天然ゴム、ポリブタジエンゴム、ニトリルゴム、シリコンゴム、ポリイソプレンゴム、ポリ（スチレン−ブタジエン）ゴム、ポリ（イソプレン−ブタジエン）ゴム、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項１に記載のナノ複合物。
【請求項１８】
請求項１に記載のナノ複合物を含む、インナーライナー。
【請求項１９】
請求項１に記載のナノ複合物を含む、インナーチューブ。
【請求項２０】
少なくとも１のクレイ；インターポリマーの重量に基づいて、３重量％乃至１５重量％のパラ−メチルスチレン由来のユニット、及び０．２モル％乃至１．５モル％のパラ−ブロモメチルスチレン由来のユニットを含む少なくとも１のイソブチレンインターポリマー；及び、
１以上の剥離剤を含むナノ複合物であって、
当該１以上の剥離剤がアミンを含む、当該ナノ複合物。
【請求項２１】
前記パラ−（ハロメチルスチレン）由来のユニットが、インターポリマー中に０．４乃至１．５モル％で存在する、請求項２０に記載のナノ複合物。
【請求項２２】
少なくともＲ２がＣ１４乃至Ｃ２０のアルキル又はアルケンである、請求項２０に記載のナノ複合物。
【請求項２３】
前記剥離剤が、Ｎ，Ｎ−ジメチル−オクタデシルアミン、Ｎ，Ｎ−ジオクタデシル−メチルアミン、二水素化牛脂アルキル−メチルアミン、アミン末端ポリテトラヒドロフラン、及びそれらの混合物よりなる群から選択される、請求項２０に記載のナノ複合物。
【請求項２４】
前記剥離剤が、Ｒ２Ｒ３Ｒ４Ｎの構造を有するアミンであり、ここで、Ｒ２、Ｒ３、及びＲ４はＣ１乃至Ｃ３０のアルキル又はアルケンであって、同一でも異なってもよい、
請求項２０に記載のナノ複合物。
【請求項２５】
前記剥離剤が、Ｚ−−Ｒ７−−Ｚ’の化学式で表わされる構造を有する組成物をさらに含み、
ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項２０に記載のナノ複合物。
【請求項２６】
前記剥離剤がチオ硫酸化合物をさらに含む、請求項２０に記載のナノ複合物。
【請求項２７】
カーボンブラックをさらに含む、請求項２０に記載のナノ複合物。
【請求項２８】
１以上の多官能性硬化剤をさらに含む、請求項２０に記載のナノ複合物。
【請求項２９】
前記剥離剤が、ナノ複合物中に０．１乃至２０ｐｈｒで存在する、請求項２０に記載のナノ複合物。
【請求項３０】
アルキルアミン剥離クレイが、メチル硫酸ジメチル牛脂アルキルオクチルアンモニアで剥離されたクレイである、請求項２０に記載のナノ複合物。
【請求項３１】
前記アルキルアミン剥離クレイが、ナノ複合物中に０．２乃至１５ｐｈｒで存在する、請求項２０に記載のナノ複合物。
【請求項３２】
前記アルキルアミン剥離クレイが、塩化ジメチル二水素化牛脂アルキルアンモニアで剥離されたクレイである、請求項２０に記載のナノ複合物。
【請求項３３】
硬化剤をさらに含む、請求項２０に記載のナノ複合物。
【請求項３４】
前記硬化剤が、亜鉛、ステアリン酸亜鉛、ステアリン酸、硫黄、及びそれらの混合物を含む、請求項２０に記載のナノ複合物。
【請求項３５】
天然ゴム、ポリブタジエンゴム、ニトリルゴム、シリコンゴム、ポリイソプレンゴム、ポリ（スチレン−ブタジエン）ゴム、ポリ（イソプレン−ブタジエン）ゴム、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項２０に記載のナノ複合物。
【請求項３６】
請求項２０に記載のナノ複合物を含む、インナーライナー。
【請求項３７】
請求項２０に記載のナノ複合物を含む、ブラダー。
【請求項３８】
請求項２０に記載のナノ複合物を含む、インナーチューブ。
【請求項３９】
クレイ；Ｃ４乃至Ｃ７イソオレフィン由来のユニット、マルチオレフィン由来のユニット、及びハロゲン化マルチオレフィン由来のユニットを含むブチルゴム；及び、１以上の剥離剤を含むナノ複合物であって、
当該剥離剤が、Ｒ２Ｒ３Ｒ４Ｎの構造を有するアミンであり、ここで、Ｒ２、Ｒ３、及びＲ４はＣ１乃至Ｃ２０のアルキル又はアルケンであって、同一でも異なってもよい、
当該ナノ複合物。
【請求項４０】
前記ハロゲン化マルチオレフィンユニットが、少なくとも２０モル％まで存在する一級アリルハロゲン化ユニットである、請求項３９に記載のナノ複合物。
【請求項４１】
少なくともＲ２がＣ１４乃至Ｃ２０のアルキル又はアルケンである、請求項３９に記載のナノ複合物。
【請求項４２】
前記剥離剤が、Ｎ，Ｎ−ジメチル−オクタデシルアミン、Ｎ，Ｎ−ジオクタデシル−メチルアミン、二水素化牛脂アルキル−メチルアミン、アミン末端ポリテトラヒドロフラン、及びそれらの混合物よりなる群から選択される、請求項３９に記載のナノ複合物。
【請求項４３】
前記剥離剤が、Ｚ−−Ｒ７−−Ｚ’の化学式で表わされる構造物から選択され、
ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項３９に記載のナノ複合物。
【請求項４４】
前記剥離剤がチオ硫酸化合物である、請求項３９に記載のナノ複合物。
【請求項４５】
カーボンブラックをさらに含む、請求項３９に記載のナノ複合物。
【請求項４６】
１以上の多官能性硬化剤をさらに含む、請求項３９に記載のナノ複合物。
【請求項４７】
前記剥離剤が、ナノ複合物中に０．１乃至２０ｐｈｒで存在する、請求項３９に記載のナノ複合物。
【請求項４８】
アルキルアミン剥離クレイが、メチル硫酸ジメチル牛脂アルキルオクチルアンモニアで剥離されたクレイである、請求項３９に記載のナノ複合物。
【請求項４９】
前記アルキルアミン剥離クレイが、ナノ複合物中に０．２乃至１５ｐｈｒで存在する、請求項３９に記載のナノ複合物。
【請求項５０】
前記アルキルアミン剥離クレイが、塩化ジメチル二水素化牛脂アルキルアンモニアで剥離されたクレイである、請求項３９に記載のナノ複合物。
【請求項５１】
硬化剤をさらに含む、請求項３９に記載のナノ複合物。
【請求項５２】
前記硬化剤が、亜鉛、ステアリン酸亜鉛、ステアリン酸、硫黄、及びそれらの混合物を含む、請求項５１に記載のナノ複合物。
【請求項５３】
前記クレイが前処理される、請求項３９に記載のナノ複合物。
【請求項５４】
天然ゴム、ポリブタジエンゴム、ニトリルゴム、シリコンゴム、ポリイソプレンゴム、ポリ（スチレン−ブタジエン）ゴム、ポリ（イソプレン−ブタジエン）ゴム、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項３９に記載のナノ複合物。
【請求項５５】
請求項３９に記載のナノ複合物を含む、タイヤ用インナーライナー。
【請求項５６】
請求項３９に記載のナノ複合物を含む、インナーチューブ。
【手続補正２】
【補正対象書類名】明細書
【補正対象項目名】０００２
【補正方法】変更
【補正の内容】
【０００２】
ナノ複合物は、少なくとも１の寸法（次元）においてナノメートルの範囲である無機粒子を含むポリマー系である。これらの例が、ＵＳ６，０６０，５４９号、６，１０３，８１７号、６，０３４，１６４号、５，９７３，０５３号、５，９３６，０２３号、５，８８３，１７３号、５，８０７，６２９号、５，６６５，１８３号、５，５７６，３７３号、及び５，５７６，３７２号に開示されている。ナノ複合物において用いられる一般的な無機粒子は、フィロシリケート（ｐｈｙｌｌｏｓｉｌｉｃａｔｅ）、いわゆる“ナノ−クレイ”又は“クレイ”と呼ばれる一般分類からの無機物である。理想的には、インターカレーション（挿入）がナノ複合物において起こるべきであり、ここで、ポリマーはクレイ表面の間の空間或いは孔へ挿入される。最終的には、剥離作用（ｅｘｆｏｌｉａｔｉｏｎ）を有することが望ましく、ここでポリマーは、個々のナノメートルサイズのクレイプレートレット（ｐｌａｔｅｌｅｔ）と共に完全に分散する。クレイが存在する場合には、一般に種々のポリマーブレンドの空気遮断性が増大するため、低通気性であるナノ複合物（特に、タイヤ製造において用いられるような、動的加硫されたエラストマーナノ複合物）に対する要求が存在する。
【手続補正３】
【補正対象書類名】明細書
【補正対象項目名】００３８
【補正方法】変更
【補正の内容】
【００３８】
本発明の別の実施態様では、少なくとも１の多官能性硬化剤の存在によって、インターポリマーの不透過性が改善される。そのような多官能性硬化剤の例は、Ｚ−−Ｒ７−−Ｚ’の化学式で表わすことができる。ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである。上記の化学式に含まれる多官能性化合物の望ましい種の例は、所謂ビス−チオ硫酸化合物である。そのような多官能性硬化剤の非限定的な例は、ヘキサメチレンビス（チオ硫酸ナトリウム）及びヘキサメチレンビス（シンナムアルデヒド）であり、その他はゴム配合分野において周知である。これら及びその他の適切な試薬は、例えば、ｔｈｅ  ＢＬＵＥ  ＢＯＯＫ，Ｍａｔｅｒｉａｌｓ，ＣＯＭＰＯＵＮＤＩＮＧ  ＩＮＧＲＥＤＩＥＮＴＳ，ＭＡＣＨＩＮＥＲＹ，ＡＮＤ  ＳＥＲＶＩＣＥＳ  ＦＯＲ  ＲＵＢＢＥＲ（Ｄｏｎ．Ｒ．Ｓｍｉｔｈ編集、Ｌｉｐｐｉｎｃｏｔｔ＆Ｐｅｔｔｏ  Ｉｎｃ．２００１）に開示されている。当該多官能性硬化剤が存在する場合、それは、１の実施態様では０．１乃至８ｐｈｒ、別の実施態様では０．２乃至０．５ｐｈｒで組成物中に存在することができる。
【手続補正４】
【補正対象書類名】明細書
【補正対象項目名】００６４
【補正方法】変更
【補正の内容】
【００６４】
更なる実施態様では、当該剥離剤は、チオ硫酸化合物、又はＺ−−Ｒ７−−Ｚ’の化学式で表わされる構造物から選択されるその他の化合物である。ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである。１の実施態様では、チオ硫酸化合物は、ヘキサメチレンチオ硫酸ナトリウムである。
【手続補正５】
【補正対象書類名】明細書
【補正対象項目名】００６５
【補正方法】変更
【補正の内容】
【００６５】
更なる実施態様では、１以上の多官能性硬化剤が存在する場合には、それらはＺ−−Ｒ７−−Ｚ’の化学式で表わされる構造物から選択される。ここで、Ｒ７は、Ｃ１乃至Ｃ１５のアルキル、Ｃ２乃至Ｃ１５のアルケニル、及び、置換又は未置換のＣ６乃至Ｃ１２の環状芳香族単位の１つであり；ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである。そのような構造物の例には、ヘキサメチレンビス（チオ硫酸ナトリウム）及びヘキサメチレンビス（シンナムアルデヒド）、及びそれらの混合物が含まれる。従って、これらの“多官能性硬化剤”は、単独で剥離剤として機能することもできるし、又は、当該組成物の１の実施態様では、別の剥離剤と併せて硬化剤として機能することもできる。